(57)【要約】【課題】 警報発生時に系統画面上の機器を他のものと識別可能に表示するプラント監視装置を提供する。【解決手段】 警報処理手段１は、警報発生時に警報情報部７の該当ポイントが属する画面番号と、該当ポイントが属する機器番号Ｋを表示処理手段２に通知する。対話入力処理手段５は、運転員からの系統画面表示要求Ｌを入力装置４を介して入力し、表示処理手段２に通知する。表示処理手段２が警報ポイントを含む画面かどうかを判定し、警報ポイントを含む系統画面を表示した際には、対話入力処理手段５が運転員から入力装置４を介して、フリッカ表示している機器がタッチ選択された場合、タッチ選択された機器の座標Ｈを入力し、表示処理手段２に通知する。表示処理手段２は、通知された座標Ｈから、警報情報部７における機器番号Ｋを検索し、該当機器に属し、警報状態にあるポイントを取り出し、表示装置３上にポップアップウィンドウ表示する。【選択図】図１
2006294063.tif 000002
【特許請求の範囲】
【請求項１】
プラントからのプロセス値に基づいてプラント状態を監視し、警報が発生した時に警報メッセージを表示装置に表示する表示処理手段を備えたプラント監視装置において、
前記プラントの系統図の図面番号と前記系統図に含まれる機器の機器情報とこの機器に含まれ且つ前記警報メッセージの表示対象となるポイントのポイント情報とを記憶する警報情報部と、
前記プラントからの前記プロセス値を監視し、警報発生時にはこの警報発生に該当するポイントに基づき前記警報情報部から前記警報発生に該当するポイントが属する機器の機器情報と系統図の図面番号とを検索し、この検索した機器情報と図面番号とを前記表示処理手段に通知する警報処理手段と、
前記プラントからの前記プロセス値に基づき系統画面情報を作成し、前記表示処理手段に通知する系統画面処理手段と、
前記系統画面処理手段により通知された前記系統画面情報に基づき前記表示装置に系統画面を表示すると共に、前記警報処理手段により通知された前記機器情報と前記図面番号に基づき前記表示した系統画面における該当機器の表示を他のものと識別可能に表示する表示処理手段と、
前記表示装置に表示されている前記系統画面において前記他のものと識別可能に表示されている機器を指定する入力装置とを具備し、
前記表示処理手段は、前記入力装置により指定された前記機器に含まれるポイントに属する警報メッセージ情報を前記警報情報部から検索し、この検索にて得られた警報メッセージ情報に基づき前記表示装置の系統画面上に警報メッセージを表示することを特徴とするプラント監視装置。
【請求項２】
前記プラントの複数の系統図の系統画面にそれぞれ対応する複数の選択ボタンを有し、この複数の選択ボタンの中から１つを選択することにより前記表示装置に表示する系統画面を選択する画面選択パネルを更に具備し、
前記表示処理手段は、前記警報処理手段から通知された前記機器情報又は前記図面番号に基づき前記表示装置に表示する系統画面が警報メッセージを表示すべきポイントを含むものではないと判定した場合、前記画面選択パネルの警報メッセージを表示すべきポイントを含む系統画面に対応する選択ボタンを他の選択ボタンと識別可能に表示することを特徴とする請求項１に記載のプラント監視装置。
【請求項３】
プラントからのプロセス値に基づいたプラント状態の監視にて警報が発生した時に警報メッセージを警報画面上に表示する表示装置と、警報情報部と、入力装置とを備えたプラント監視装置のプラント監視方法において、
前記プラントの系統図の図面番号と前記系統図に含まれる機器の機器情報とこの機器に含まれ且つ前記警報メッセージの表示対象となるポイントのポイント情報とを前記警報情報部に記憶し、
前記プラントからの前記プロセス値を監視し、警報発生時にはこの警報発生に該当するポイントに基づき前記警報情報部から前記警報発生に該当するポイントが属する機器の機器情報と系統図の図面番号とを検索し、
前記プラントからの前記プロセス値に基づき系統画面情報を作成し、
前記作成した系統画面情報に基づき前記表示装置に系統画面を表示すると共に、前記検索した機器情報と図面番号に基づき前記表示した系統画面における該当機器の表示を他のものと識別可能に表示し、
前記入力装置により前記表示装置にて前記他のものと識別可能に表示されている機器に対する指定が行われた場合、この指定された機器に含まれるポイントに属する警報メッセージ情報を前記警報情報部から検索し、この検索にて得られた警報メッセージ情報に基づき前記表示装置の系統画面上に警報メッセージを表示することを特徴とするプラント監視方法。
【発明の詳細な説明】
【技術分野】
【０００１】
本発明は、プラントの警報状態を表示装置にて監視する際に、運転員の要求による警報メッセージを表示し、警報項目の監視を容易にするプラント監視装置に関する。
【背景技術】
【０００２】
プラントにおいては、プラントからのプロセス値に基づきプラント状態を監視するプラント監視装置を設けており、プラント監視装置では、一般に、各監視制御盤上には警報発生時に概要が認識可能なように警報窓が設置されている。
【０００３】
プラント監視装置において、プロセス値が警報状態になった際には、監視制御盤上に設けた警報窓を点灯させて運転員に通知するとともに、表示装置の警報画面上では警報メッセージの表示を行い、より詳細な情報を運転員に通知する。この場合に運転員は、点灯した警報窓と警報画面上に表示された警報メッセージにて、発生した警報の内容を確認し、処置を判断し対応する。
【０００４】
図２６は、従来の警報監視によるプラント監視装置の構成例である。
【０００５】
図２６において、プラントから送られてくるプロセス信号に対し、警報処理手段１が警報であるかどうかを判定し、警報である場合は警報状態信号Ｂ１を送り、監視制御盤上の警報窓９の該当窓を点灯させると共に、警報窓情報記憶部１０へ記憶する。また、表示処理手段２によって同時に表示装置３上の警報画面に警報メッセージＡ１を表示する。警報画面上には、警報発生順に、常に最新のメッセージが確認可能なように表示する。運転員は点灯した警報窓９と、警報画面上の警報メッセージＡ１により警報内容を確認し、対応方法を判断する。
【０００６】
一方、運転員からの要求により警報窓イメージの画面表示が可能であり、入力装置４からの要求信号Ｈ１が対話入力処理手段５を介して入力し、警報処理手段１への表示要求Ｈ２があると、警報窓イメージの画面上にある該当窓を点灯させて、表示装置３上に表示する。ここで、警報窓イメージの画面から各警報窓の警報要因の表示が可能であり、運転員の要求により警報窓が指定され、入力装置３から警報要因表示要求の警報窓が対話入力処理手段５に通知された場合は、要求された警報窓を警報処理手段１に通知する。警報処理手段１は、警報窓情報記憶部１０を参照して該当する警報窓とその要因を表示処理手段２に通知し、表示処理手段２は、要求された警報窓の警報要因を表示装置３に表示する。運転員は表示装置３に表示された警報要因から対応方法を判断する。
【発明の開示】
【発明が解決しようとする課題】
【０００７】
ところで、監視制御盤上の警報窓９と表示装置３における警報画面の警報メッセージにより警報監視を行う場合、複数の警報が発生した際には警報画面上に発生順に警報メッセージが表示される。そこで、各警報窓に対応する要因を確認するためには、奮報窓イメージ画面の表示を行い、各警報窓の要因表示を行い、確認するが、この方法では複数の警報が発生した時、要因表示を行うためには、警報画面で警報メッセージを確認し、警報窓イメージ画面に表示を切替え、該当警報窓の要因表示を要求することになり、警報メッセージと警報窓とを対応付けて確認するには、操作ステッブが多くなってしまう。また、監視制御盤に警報窓を設置することになる。
【０００８】
そこで、本発明は、警報発生時に系統画面上の機器を他のものと識別可能に表示し、運転員に警報が発生した機器を通知すると共に、該当機器を指定させることで、その機器に関する警報メッセージを表示し、系統画面を見ながら該当する機器に関する警報要因を判断可能とすることを目的とする。
【０００９】
また、本発明は上記目的に加え更に、系統画面を選択表示するために画面選択パネルを備え、警報発生時に警報が発生したポイントが属する系統画面に対応した画面選択パネルの選択ボタンをその他のものと識別可能に表示し、運転員に警報が発生した系統を通知すると共に、該当する選択ボタンを指定させることで、警報が発生したポイントが属する系統画面へと展開し、容易に警報要因を判断可能とすることを目的とする。
【課題を解決するための手段】
【００１０】
上記課題を解決するために、請求項１の発明は、プラントからのプロセス値に基づいてプラント状態を監視し、警報が発生した時に警報メッセージを表示装置に表示する表示処理手段を備えたプラント監視装置において、前記プラントの系統図の図面番号と前記系統図に含まれる機器の機器情報とこの機器に含まれ且つ前記警報メッセージの表示対象となるポイントのポイント情報とを記憶する警報情報部と、前記プラントからの前記プロセス値を監視し、警報発生時にはこの警報発生に該当するポイントに基づき前記警報情報部から前記警報発生に該当するポイントが属する機器の機器情報と系統図の図面番号とを検索し、この検索した機器情報と図面番号とを前記表示処理手段に通知する警報処理手段と、前記プラントからの前記プロセス値に基づき系統画面情報を作成し、前記表示処理手段に通知する系統画面処理手段と、前記系統画面処理手段により通知された前記系統画面情報に基づき前記表示装置に系統画面を表示すると共に、前記警報処理手段により通知された前記機器情報と前記図面番号に基づき前記表示した系統画面における該当機器の表示を他のものと識別可能に表示する表示処理手段と、前記表示装置に表示されている前記系統画面において前記他のものと識別可能に表示されている機器を指定する入力装置とを具備し、前記表示処理手段は、前記入力装置により指定された前記機器に含まれるポイントに属する警報メッセージ情報を前記警報情報部から検索し、この検索にて得られた警報メッセージ情報に基づき前記表示装置の系統画面上に警報メッセージを表示することを特徴とする。
【００１１】
請求項３の発明は、請求項１のプラント監視装置を方法の観点から把握したもので、プラントからのプロセス値に基づいたプラント状態の監視にて警報が発生した時に警報メッセージを警報画面上に表示する表示装置と、警報情報部と、入力装置とを備えたプラント監視装置のプラント監視方法において、前記プラントの系統図の図面番号と前記系統図に含まれる機器の機器情報とこの機器に含まれ且つ前記警報メッセージの表示対象となるポイントのポイント情報とを前記警報情報部に記憶し、前記プラントからの前記プロセス値を監視し、警報発生時にはこの警報発生に該当するポイントに基づき前記警報情報部から前記警報発生に該当するポイントが属する機器の機器情報と系統図の図面番号とを検索し、前記プラントからの前記プロセス値に基づき系統画面情報を作成し、前記作成した系統画面情報に基づき前記表示装置に系統画面を表示すると共に、前記検索した機器情報と図面番号に基づき前記表示した系統画面における該当機器の表示を他のものと識別可能に表示し、前記入力装置により前記表示装置にて前記他のものと識別可能に表示されている機器に対する指定が行われた場合、この指定された機器に含まれるポイントに属する警報メッセージ情報を前記警報情報部から検索し、この検索にて得られた警報メッセージ情報に基づき前記表示装置の系統画面上に警報メッセージを表示することを特徴とする。
【００１２】
以上の態様では、系統画面上の機器に関して警報が発生したとき、機器を識別可能に表示させ、該当機器を選択すると、その機器に関する警報メッセージを識別可能に表示させることができる。これによって、系統画面を見ながら機器に関する警報要因が判断することが可能となる。
【００１３】
請求項２の発明は、請求項１に記載のプラント監視装置において、前記プラントの複数の系統図の系統画面にそれぞれ対応する複数の選択ボタンを有し、この複数の選択ボタンの中から１つを選択することにより前記表示装置に表示する系統画面を選択する画面選択パネルを更に具備し、前記表示処理手段は、前記警報処理手段から通知された前記機器情報又は前記図面番号に基づき前記表示装置に表示する系統画面が警報メッセージを表示すべきポイントを含むものではないと判定した場合、前記画面選択パネルの警報メッセージを表示すべきポイントを含む系統画面に対応する選択ボタンを他の選択ボタンと識別可能に表示することを特徴とする。
【００１４】
以上の態様では、複数の系統図画面情報が画面選択パネルから選択でき、しかも、警報発生ポイントを含む系統図が表示されていないとき、警報発生ポイントを含む系統図が表示できるように画面選択パネルの該当選択ボタンを識別表示させることができる。これによって、警報発生時に画面選択パネルから選択によって系統図画面上で警報を確認することが可能となる。
【発明の効果】
【００１５】
以上説明したように本発明によれば、警報発生時に系統画面上の機器を他のものと識別可能に表示し、運転員に警報が発生した機器を通知すると共に、該当機器を指定させることで、その機器に関する警報メッセージを表示し、系統画面を見ながら該当する機器に関する警報要因を判断可能とする。
【発明を実施するための最良の形態】
【００１６】
以下、本発明の実施の形態について図面を参照して説明する。
【００１７】
図１は、本発明の第１実施の形態を示すプラント監視装置の構成例である。
【００１８】
第１実施の形態は、警報処理手段１と表示処理手段２と対話入力処理手段５と表示装置３と入力装置４と警報情報部７と系統ランク情報部６とから構成されている。
【００１９】
警報処理手段１は、警報情報部７に登録されているポイントについて、プラントからのプロセス値を所定周期で監視し、警報発生時には警報情報部７から該当ポイントの系統とランクを検索し、該当ポイントと系統とランクとからなる警報メッセージ情報Ａとして表示処理手段２に通知する一方、該当ポイントが警報状態にあることを警報情報部７に設定する。また、警報発生から正常に復帰したとき警報情報部７の該当ポイントの警報有を警報無に変更する。
【００２０】
このとき、表示処理手段２は、警報処理手段１から通知された警報メッセージ情報Ａを表示装置３上の警報画面に警報メッセージとして表示する。
【００２１】
警報処理手段１は、他のポイントが警報状態になれば、順次、警報情報部７から該当ポイントの系統とランクを検索し、警報情報部７には該当ポイントが警報状態であることを設定し、表示処理手段２には警報メッセージ情報Ａを通知する。表示処理手段２は警報処理手段１からの警報メッセージ情報Ａを通知された順に表示装置３上の警報画面に警報メッセージと系統とランクとを表示する。
【００２２】
この結果、表示装置３上の警報画面には、警報処理手段１が監視し通知してきた順に警報メッセージが一覧表示され、さらに、系統、ランクの選択ボタンを表示する。
【００２３】
対話入力処理手段５は、入力装置４からの選択情報を入力し、運転員の要求する系統とランクを判定し、判定した系統とランクを警報処理手段１に通知する。また、系統ランク情報部６に運転員から要求された系統とランクを設定する。警報処理手段１は、対話入力処理手段５から通知された系統とランクに属し、かつ、警報状態にあるポイントを警報情報部７から検索し、運転員から要求された系統とランクに属するポイントの警報メッセージ情報Ａとして表示処理手段２に通知し、表示処理手段２は、警報処理手段１から通知された警報メッセージ情報Ａを表示装置３上の警報画面に表示する。
【００２４】
警報処理手段１は、警報メッセージ情報Ａを表示処理手段２に通知後、新たに警報状態になったポイントについて、警報情報部７から該当ポイントの系統とランクを検索した後に、検索したポイントの系統とランクと、系統ランク情報部６の系統ランクとを比較し、同一であれば該当ポイントの警報メッセージ情報Ａを表示処理手段２に通知する。
【００２５】
同一でない場合は、表示処理手段２に、該当ポイントの系統とランクを通知する表示処理手段２は、警報処理手段１から系統ランクが通知された場合に、表示装置３上の警報画面に対し通知された系統とランクボタンをフリッカ表示する。運転員は、フリッカ表示する系統とランクボタンにより、警報画面に表示されていない系統とランクに属するポイントに警報が発生していることが確認可能となる。
【００２６】
また、フリッカ表示している系統とランクボタンを運転員が選択し、入力装置４を介して対話入力処理手段５に系統とランクが通知された場合は、同様に、対話入力処理手段５は、警報処理手段１に運転員に要求された系統とランクを通知し、警報処理手段１は、対話入力処理手段５に通知された系統とランクに属しかつ、警報状態にあるポイントを警報情報部７より検索し、表示処理手段２に警報メッセージ情報Ａとして通知する。なお、警報処理手段１は警報発生ポイントが正常に復帰したとき、そのポイントに属する系統とランクに他に警報が発生しているポイントがあるか判定し、なければ系統ランク情報部６と表示処理手段２とへその旨通知して系統ランク情報部６の系統ランク表示情報を取り消すと共に表示装置３の上の表示を消すように通知する。
【００２７】
以上の構成により、運転員が警報発生から系統とランクに応じ、警報メッセージを確認するまでの操作を図２に示す処理フローを用いて具体的に説明する。
【００２８】
まず、プラントからのプロセス値が警報状態となったとき、警報処理手段１は、（処理ａ）において図６に示す警報情報部７から該当ポイントの系統とランクを検索する。このとき、（処理ｂ）において、系統とランクを検索した際には、該当ポイントが警報状態にあることを警報情報部７の警報指標Ｂとして設定する。さらに、（処理ｄ）において、警報メッセージ情報Ａを表示処理手段２に通知する。表示処理手段２は、（処理ｅ）にて警報処理手段１から通知された警報メッセージ情報Ａを図４に示すように画面にて表示装置３に表示する。
【００２９】
図４に示す警報画面から、運転員により表示する系統とランクを画面上の系統ランクボタンの選択により指定された場合には、図３に示す処理フローにて処理する。
【００３０】
すなわち、対話入力処理手段５は、（処理ｈ）にて運転員からの要求の系統ランク情報Ｃを図７に示すように系統ランク情報部６に設定し、（処理ｉ）にて警報処理手段１に通知する。警報処理手段１は、（処理ｊ）にて、対話入力処理手段５から通知された系統ランク情報Ｃに属し、かつ、警報状態にあるポイントを警報情報部７から検索し（処理ｄ）にて運転員に要求された系統とランクの警報メッセージ情報Ａとして表示処理手段２に通知する。
【００３１】
表示処理手段２は、（処理ｅ）にて警報処理手段１から通知された警報メッセージ情報Ａを表示装置３に図５に示すようにオペレータによって選択された系統１に属する警報メッセージのみ制限して表示する。
【００３２】
ここで、図５に示す画面にて警報メッセージを表示しているときに新たに警報が発生した場合には、図２の処理フローに従い処理を行う。
【００３３】
警報処理手段１は、（処理ａ）において新たに警報状態になったポイントについて、警報情報部７から該当ポイントの系統とランクを検索し、（処理ｂ）にて警報情報部７の警報指標Ｂを設定する。そして、（判断ｃ）にて検索したポイントの系統ランクと系統ランク情報部６の系統ランク情報Ｃを比較し、同一であれば、（処理ｄ）にて該当ポイントの警報メッセージ情報Ａを表示処理手段２に通知する。表示処理手段２は、（処理ｅ）にて警報処理手段１より通知された警報メッセージ情報Ａを図５に示す画面に追加表示する。
【００３４】
一方、図２に示す処理で、警報処理手段１が（判断ｃ）にて検索したポイントの系統ランクと系統ランク情報部６の系統ランク情報Ｃが同一でない場合には、警報処理手段１は、（処理ｆ）にて、表示処理手段２に新たに警報状態になったポイントの系統ランク、すなわち、表示選択されていない系統ランク情報Ｄを表示処理手段２に通知する。
【００３５】
表示処理手段２は、（処理ｇ）にて図５に示す画面上で未選択の系統ランクボタンのうちの警報処理手段１に通知された系統とランクボタンをフリッカ表示する。この系統とランクボタンのフリッカ表示により、運転員は警報画面に表示されていない系統とランクに属するポイントに警報が発生していることを認識する。フリッカ表示している系統とランクボタンを運転員が選択し、表示要求した場合には、前述と同様に図３の処理フローに従い、系統とランクの種分け要求があった場合として処理する。
【００３６】
このように第１実施の形態によれば、警報メッセージを警報発生順に表示装置の警報画面に一覧表示する。運転員はこの警報発生順に表示された一覧表示から系統、ランクの指定を行い警報メッセージを種分け表示し、警報窓イメージの画面に表示を切り替えることなく、必要な警報メッセージのみ的確に監視できる。
【００３７】
図８は、本発明の第２実施の形態を示すプラント監視装置の構成例である。
【００３８】
第２実施の形態は、警報処理手段１と表示処理手段２と対話入力処理手段５と表示装置３と入力装置４と警報情報部７と初期設定画面構成情報部１５ａと画面構成情報部１５と系統ランク情報部６とから構成される。
【００３９】
対話入力処理手段５は入力装置４を介して画面構成の要求を入力した場合、対話入力処理手段５は初期設定画面構成情報部１５ａに運転員の要求する画面構成を設定し、表示処理手段２に画面構成要求Ｅがあったことを通知する。表示処理手段２は、対話入力処理手段５より通知された画面構成要求Ｅの画面構成に従って画面を表示装置３に表示する。
【００４０】
対話入力処理手段５は、入力装置４を介して警報画面表示要求が行われた際に、初回表示である場合、警報画面表示要求Ｆを警報処理手段１と表示処理手段２に通知する。表示処理手段２は、対話入力処理手段５より警報画面表示要求Ｆを通知されると、画面構成情報部１５を参照して、表示装置３上の画面構成情報を取り出し、初期設定画面構成情報部１５ａの初期設定情報に基づいて、警報画面の構成を決定し、各区画に表示する系統とランクを決定する。
【００４１】
警報処理手段１は、対話入力処理手段５より警報画面表示要求Ｆが通知されると、画面構成情報部１５を参照して、各区画に表示する系統とランクに属し、かつ、警報状態にあるポイントを警報情報部７より検索し、各区画ごとで警報メッセージ情報Ａとして表示処理手段２に通知する。表示処理手段２は、警報処理手段１に通知された各区画ごとの警報メッセージ情報Ａを表示装置３上の警報画面の該当区画に警報メッセージとして表示する。
【００４２】
以降、各区画内の警報処理については前述した第１実施の形態の場合と同様の処理を行う。
【００４３】
すなわち、警報処理手段１は、警報情報部７に登録されているポイントについて、プラントからのプロセス値を監視し、警報発生時には警報情報部７から該当ポイントの系統とランクを検索し、警報メッセージ情報Ａとして表示処理手段２に通知すると共に、該当ポイントが警報状態にあることを警報情報部７に設定する。表示処理手段２は、警報処理手段１から通知された警報メッセージ情報Ａを表示装置３上の警報画面に警報メッセージとして表示する。
【００４４】
警報処理手段１は、他のポイントが警報状態になれば、順次、警報情報部７から該当ポイントの系統とランクを検索し、警報情報部７には該当ポイントが警報状態であることを設定し、表示処理手段２には警報メッセージ情報Ａを通知する。
【００４５】
表示処理手段２は警報処理手段１からの警報メッセージ情報Ａを通知された順に表示装置３上の警報画面に警報メッセージとして表示する。従って、表示装置３上の警報画面には、警報処理手段１が監視し通知してきた順に警報メッセージが一覧表示され、警報画面上には警報メッセージを表示するとともに、系統、ランクの選択ボタンを表示する。
【００４６】
対話入力処理手段５は、入力装置４からの選択情報を入力し、運転員の要求する系統とランクを判定し、判定した系統とランクを警報処理手段１に通知し、表示系統ランク情報部６に運転員から要求された系統と、ランクを設定する。警報処理手段１は、対話入力処理手段５から通知された系統とランクに属し、かつ、警報状態にあるポイントを警報情報部７から検索し、運転員から要求され系統とランクに属するポイントの警報メッセージ情報Ａとして表示処理手段２に通知する。表示処理手段２は、警報処理手段１から通知された警報メッセージ情報Ａを表示装置３上の警報画面に表示する。
【００４７】
警報処理手段１は、警報メッセージ情報を表示処理手段２に通知後、新たに警報状態になったポイントについて、警報情報部７から該当ポイントの系統とランクを検索した後に、検索したポイントの系統ランクと、表示系統ランク情報部６の系統ランクを比較し、同一であれば該当ポイントの警報メッセージ情報Ａを表示処理手段２に通知する。
【００４８】
一方、警報処理手段１は同一でない場合は、表示処理手段２に、該当ポイントの系統ランク情報Ｄを通知し、表示処理手段２は、表示装置３上の警報画面に対し通知された系統とランクボタンをフリッカ表示する。
【００４９】
対話入力処理手段５は、フリッカ表示している系統とランクボタンを運転員が選択すると、警報処理手段１に運転員に要求された系統とランクを通知し、警報処理手段１は、対話入力処理手段５に通知された系統とランクに属し、かつ、警報状態にあるポイントを警報情報部７より検索し、表示処理手段２に警報メッセージ情報Ａとして通知する。
【００５０】
以上の構成により、運転員が警報画面の表示要求を行い、複数区画にて警報監視を行う処理を図９に示す処理フローを用いて具体的に説明する。
【００５１】
まず、運転員が複数区画にて警報監視を行うために、警報画面を入力装置４を介して表示要求した際には、対話入力処理手段５が、（処理ａ）において、画面構成要求Ｅを入力し、表示処理手段２と警報処理手段１とに通知する。表示処理手段２は、（処理ｂ）において、対話入力処理手段５より通知された画面構成要求Ｅにより、画面構成を決定し、表示装置３に表示要求する。
【００５２】
一方、警報処理手段１は、対話入力処理手段５から通知された画面構成要求Ｅに従い、（判断ｃ）において、画面構成を決定する。全画面構成の時は、（処理ｄ）において、画面構成情報部１５の初期設定情報から系統とランクを検索し、画面構成情報部１５に設定する。
【００５３】
次に、（処理ｅ）において、（処理ｄ）で決定した系統とランクに属し、かつ、警報状態にあるポイントを警報情報部７より検索し、警報メッセージ情報Ａとして表示処理手段２に通知する。表示処理手段２は、（処理ｆ）おいて、警報処理手段１より通知された警報メッセージ情報Ａを表示する。
【００５４】
２画面構成の時は、（処理ｇ）、（処理ｈ）、（処理ｉ）において、４画面構成の時は、（処理ｊ）、〔処理ｋ）、（処理１）において同様の処理を行う。
【００５５】
このように第２実施の形態によれば、警報メッセージを警報発生順に表示装置の警報画面に一覧表示する。警報メッセージを一覧表示する際には、警報画面表示要求時の画面構成に従い、複数の区画に警報画面表示を行い、各区画にはあらかじめ割り付けられた系統とランクに属した警報メッセージを表示することで、複数区画表示に切り替え、各区画に各々に警報メッセージを種分け表示して、警報監視を行うことが可能となる。
【００５６】
図１２は、本発明の第３実施の形態を示すプラント監視装置の構成例である。
【００５７】
第３実施の形態は、警報処理手段１と表示処理手段２と対話入力処理手段５と表示装置３と入力装置４と警報情報部７と警報アイコン情報部７Ａと表示アイコン情報部６Ａとから構成されている。
【００５８】
警報処理手段１は、警報情報部７に登録されているポイントについて、プラントからのプロセス値を監視し、警報発生時には警報情報部７から該当ポイントを検索し、警報メッセージ情報Ａを取り出し、該当ポイントが属するアイコン情報Ｇを取り出し、警報メッセージ情報Ａとアイコン情報Ｇを表示処理手段２に通知し、該当ポイントが警報状態にあることを警報情報部７に設定する。
【００５９】
表示処理手段２は、警報処理手段１から通知された警報メッセージ情報Ａを表示装置３上の警報画面に警報メッセージとして表示し、警報処理手段１から通知されたアイコン情報Ｇに従って表示装置３上の警報画面におけるアイコンを点灯表示する。
【００６０】
警報処理手段１は、他のポイントが警報状態になれば、順次、警報情報部７から該当ポイントのアイコン情報Ｇを検索し、警報情報部７には該当ポイントが警報状態であることを設定し、表示処理手段２には警報メッセージ情報Ａとアイコン情報Ｇを通知する。表示処理手段２は警報処理手段１からの警報メッセージ情報Ａを、通知された順に表示装置３上の警報画面に警報メッセージとして表示し、アイコン情報Ｇに基づいて表示装置３上のアイコンを点灯表示する。
【００６１】
対話入力処理手段５は、入力装置４からのタッチ選択された座標Ｈを入力し、警報処理手段１に通知する。警報処理手段１は、対話入力処理手段５から通知された座標Ｈからタッチ選択されたアイコンを警報情報部７を参照して検索し、表示アイコン情報部６Ａにタッチ選択されたアイコンを設定する。
【００６２】
また、警報処理手段１は、タッチ選択されたアイコンに属し、かつ、警報状態にあるポイントを警報情報部７から検索し、運転員から要求されたアイコンに属するポイントの警報メッセージ情報Ａと、タッチ選択されたアイコン情報Ｇを表示処理手段２に通知する。表示処理手段２は、警報処理手段１から通知された警報メッセージ情報Ａを表示装置３上の警報画面に表示すると共に、通知されたアイコンを点灯表示する。警報処理手段１は、警報メッセージ情報Ａを表示処理手段２に通知後、新たに警報状態になったポイントについて、警報情報部７から該当ポイントとアイコンを検索した後に、検索したポイントが属するアイコンと、表示アイコン情報部６Ａのアイコンを比較し、同一であれば該当ポイントの警報メッセージ情報Ａを表示処理手段２に通知する。
【００６３】
警報処理手段１は、一方、同一でない場合は、表示処理手段２に該当ポイントに属するアイコン情報Ｇを通知し、表示処理手段２は、警報処理手段１からアイコン情報Ｇが通知された場合に、表示装置３上の警報画面に対し通知されたアイコンをフリツ力表示し、警報画面に表示されていないアイコンに属するポイントに警報が発生していることを知らせる。
【００６４】
対話入力処理手段５は、フリッカ表示しているアイコンを運転員が選択し、入力装置４を介してアイコンの座標が通知された場合は、対話入力処理手段５が、警報処理手段１に運転員に要求されたアイコンの座標Ｈを通知し、警報処理手段１は、対話入力処理手段５に通知された座標Ｈからアイコンを検索し、検索したアイコンに属し、かつ、警報状態にあるポイントを警報情報部７より検索し、表示処理手段２に警報メッセージ情報Ａとアイコン情報Ｇを通知する。
【００６５】
以上の構成により、運転員が警報発生から、警報メッセージを確認するまでの処理を図１３に示す処理フローを用いて具体的に説明する。
【００６６】
まず、プラントからのプロセス値が警報状態となったとき、警報処理手段１は、（処理ａ）において図１５に示す警報情報部７から該当ポイントのアイコンを検索する。また、（処理ｂ）において、アイコンを検索した際には、該当ポイントが警報状態にあることを警報情報部７の警報指標Ｂとして設定する。
【００６７】
次に、（処理ｄ）において、警報メッセージ情報Ａとアイコン情報Ｇを表示処理手段２に通知し、表示処理手段２は、（処理ｅ）にて讐報処理手段１から通知された警報メッセージ情報Ａを表示装置３上の警報画面に一覧表示し、通知されたアイコンを点灯表示する。
【００６８】
ここで、警報画面から、運転員により画面上のアイコンのタッチ選択により指定された場合には、図１４に示す処理フローにて処理する。
【００６９】
まず、対話入力処理手段５は、（処理ｈ）において、運転員の要求するアイコン座標Ｈを入力し、警報処理手段１に通知する。警報処理手段１は、（処理ｉ）にて、対話入力処理手段５から通知された座標Ｈからアイコンを検索し、表示アイコン情報部６Ａにタッチ選択されたアイコンを設定する。続いて、（処理ｊ）において、選択されたアイコンに属し、かつ、警報状態にあるポイントを警報情報部７から検索し、（処理ｄ）にて運転員に要求されたアイコンとそのアイコンに属するポイントの警報メッセージ情報Ａとして、表示処理手段２に通知し、表示処理手段２は、（処理ｅ）にて警報処理手段１から通知されたアイコンを点灯表示、警報メッセージ情報Ａを表示装置３に表示する。
【００７０】
新たに警報が発生した場合には、図１３の処理フローに従い処理を行う。
【００７１】
まず、警報処理手段１は、（処理ａ）において新たに警報状態になったポイントについて、警報情報部７から該当ポイントのアイコンを検索し、（処理ｂ）にて警報情報部７の警報指標Ｂを設定する。さらに、（判断ｃ）にて検索したポイントのアイコンと表示アイコン情報部６Ａのアイコンとを比較し、同一であれば、（処理ｄ）にて該当ポイントの警報メッセージ情報Ａを表示処理手段２に通知する。表示処理手段２は、（処理ｅ）にて警報処理手段１より通知された警報メッセージ情報Ａを画面に追加表示する。
【００７２】
警報処理手段１が（判断ｃ）にて検索したポイントのアイコンと表示アイコン情報部６Ａのアイコンが同一でない場合には、警報処理手段１は、（処理ｆ）にて、表示処理手段２に新たに警報状態になったポイントのアイコン、すなわち、表示選択されていないアイコン情報１を表示処理手段２に通知し、表示処理手段２は、（処理ｇ）にて警報処理手段１に通知されたアイコンをフリッカ表示する。このアイコンのフリッカ表示により、運転員は警報画面に表示されていないアイコンに属するポイントに警報が発生していることを認識する。フリッカ表示しているアイコンを運転員が選択し、表示要求した場合には、前述と同様に図１４の処理フローに従い、アイコンの種分け要求があった場合として処理する。
【００７３】
このように、第３実施の形態によれば、警報発生時には、警報画面上の機器シンボルアイコンを点灯させて警報発生箇所を通知する。また、運転員からの表示要求により、選択された機器に属する警報メッセージを警報画面に一覧表示する。運転員は警報画面上の機器シンボルのアイコンの点灯表示により、警報発生機器をパターン認識することが可能となり、また、アイコンを選択し、警報メッセージを表示要求することで、警報の詳細を認識することが可能となる。
【００７４】
図１６は、本発明の第４実施の形態を示すプラント監視装置の構成例を示す。
【００７５】
第４実施の形態は、警報処理手段１と表示処理手段２と対話入力処理手段５と系統画面処理手段８と表示装置３と入力装置４と警報情報部７とから構成されている。
【００７６】
警報処理手段１は、プラントからのプロセス値を監視し、警報発生時には警報情報部７の該当ポイントを検索し、該当するポイントが属する画面番号と、該当ポイントが属する機器番号Ｋを表示処理手段２に通知し、該当ポイントが警報状態にあることを警報情報部７に設定する。
【００７７】
系統画面処理手段８は、プラントからのプロセス値を入力し、一定の走査周期で更新を行い、系統画面情報Ｊを表示処理手段２に通知し、対話入力処理手段５は運転員から入力装置４を介して系統画面の表示要求が行われた場合、系統画面表示要求Ｌを表示処理手段２に通知する。
【００７８】
表示処理手段２は、対話入力処理手段５より通知された系統画面を表示する際、警報処理手段１から通知された警報ポイントを含む系統画面であるか否かを判定する。警報処理手段１より通知された警報ポイントを含む系統画面であれば、警報ポイントの属する機器の座標に基づいて該当機器をフリッ力表示させて、表示装置３上に系統画面を表示する。
【００７９】
対話入力処理手段５は運転員から入力装置４を介して、フリッカ表示している機器がタッチ選択された場合、タッチ選択された機器の座標Ｈを入力し、表示処理手段２に通知する。表示処理手段２は、対話入力処理手段５よりタッチ選択された機器の座標Ｈを通知された座標からタッチ選択された機器を決定し、その機器に属する警報メッセージ情報Ａを検索して、系統画面上のポップアッブウィンドウに警報メッセージとして表示する。
【００８０】
以上の構成により、運転員が警報発生から、警報メッセージを確認するまでの処理を図１７に示す処理フローを用いて具体的に説明する。
【００８１】
まず、プラントからのプロセス値が警報状態となったとき、警報処理手段１は、（処理ａ）において図１９に示す警報情報部７から該当ポイントの属する画面番号と機器番号Ｋを検索し、（処理ｂ）において、該当ポイントが警報状態にあることを警報情報部７の警報指標Ｂとして設定する。さらに（処理ｃ）において、画面番号と機器番号Ｋを表示処理手段２に通知する。
【００８２】
対話入力処理手段５は、運転員からの系統画面表示要求Ｌを入力装置４を介して入力し、表示処理手段２に通知する。表示処理手段２は、系統画面処理手段８から通知されている系統画面情報Ｊを表示装置３に系統画面として表示すると共に、（判断ｄ）において、警報ポイントを含む画面かどうかを判定する。この判定で警報ポイントを含む画面であれば、表示処理手段２は、（処理ｅ）において、警報情報部７から警報ポイントを含む機器を検索し、該当機器の座標Ｈを取り出す。さらに、表示処理手段２は、（処理ｆ）おいて、該当機器のシンボルを表示装置３の系統画面上にてフリッカ表示する。
【００８３】
一方、警報ポイントを含まない画面であれば、表示処理手段２は、（処理ｇ）において、系統画面処理手段８から通知されている系統画面情報Ｊを表示装置３に系統画面として表示する。
【００８４】
警報ポイントを含む系統画面を表示している際に、運転員によりフリッカ表示している警報ポイントを含む機器がタッチ選択された場合は、図１８の処理フローに従い処理を行う。
【００８５】
まず、対話入力処理手段５は、（処理ｈ）において、タッチ選択された座標Ｈを入力し、表示処理手段２に通知する。表示処理手段２は、（処理ｉ）おいて、通知された座標Ｈから、警報情報部７における機器番号Ｋを検索し、該当機器に属し、警報状態にあるポイントを取り出し、（処理ｊ）において、取り出したポイントを表示装置３上にポップアップウィンドウ表示する。
【００８６】
このように第４実施の形態によれば、警報発生時には、系統画面上の機器シンボルを点灯させて警報発生箇所を通知する。また、運転員からの表示要求により、選択された機器に属する警報メッセージをポップアップウィンドウに一覧表示する。運転員は、警報画面に表示切替を行うことなく、系統画面上から警報メッセージの確認を行うことが可能となる。
【００８７】
図２０は本発明の第５実施の形態を示すプラント監視装置の構成例である。
【００８８】
第５実施の形態は、警報処理手段１と表示処理手段２と対話入力処理手段５と系統画面処理手段８と表示装置３と入力装置４と警報情報部７と画面選択パネル２０とから構成されている。
【００８９】
警報処理手段１は、プラントからのプロセス値を監視し、警報発生時には警報情報部７の該当ポイントを検索し、該当するポイントが属する画面番号と、該当ポイントが属する機器番号Ｋを表示処理手段２に通知し、該当ポイントが警報状態にあることを警報情報部７に設定する。系統画面処理手段８は、プラントからのプロセス値を入力し、一定の走査周期で更新を行い、系統画面情報Ｊとして表示処理手段２に通知する。
【００９０】
対話入力処理手段５は、運転員から入力装置４を介して系統画面の表示要求が行われた場合、あるいは画面選択パネル２０から系統画面の表示要求が行われた場合、系統画面表示要求Ｌを表示処理手段２に通知する。表示処理手段２は、対話入力処理手段５より通知された系統画面を表示する際、警報処理手段１から通知された警報ポイントを含む系統画面であるか否かを判定し、表示装置３に該当する系統画面が表示されていなければ、画面選択パネル２０上の該当ＰＢ化選択ボタンをフリッカさせる一方、警報処理手段１より通知された警報ポイントを含む系統画面であれば、第４実施の形態と同様に、警報ポイントの属する機器の座標Ｈに基づいて該当機器をフリッカ表示させて、表示装置３上に系統画面を表示する。
【００９１】
対話入力処理手段５は運転員から入力装置４を介して、フリッカ表示している機器がタッチ選択された場合、タッチ選択された機器の座標Ｈを入力し、表示処理手段２に通知する。表示処理手段２は、対話入力処理手段５よりタッチ選択された機器の座標Ｈを通知された座標からタッチ選択された機器を決定し、その機器に属する警報メッセージ情報Ａを検索して、系統画面上のポップアップウィンドウに警報メッセージとして表示する。
【００９２】
以上の構成により、運転員が警報発生から、警報メッセージを確認するまでの処理を図２１に示す処理フローを用いて具体的に説明する。
【００９３】
まず、プラントからのプロセス値が警報状態となったとき、警報処理手段１は、（処理ａ）において図２２に示す警報情報部７から該当ポイントの属する画面番号と機器番号Ｋを検索し、（処理ｂ）において、該当ポイントが警報状態にあることを警報情報部７の警報指標Ｂとして設定する。さらに（処理ｃ）において、画面番号と機器番号Ｋを表示処理手段２に通知する。対話入力処理手段５は、運転員からの系統画面表示要求Ｌを入力装置４を介して入力し、表示処理手段２に通知する。
【００９４】
ここで、（判断ｄ）において、警報ポイントを含む系統画面が表示中であるかを判定し、表示中でなければ、（処理ｇ）において、警報情報部７から該当画面のＰＢ情報（選択ボタン情報）Ｍを取りだし、（処理ｈ）において、画面選択パネル２０上の該当ＰＢ（選択ボタン）をフリッカさせる。ここで、画面選択パネル２０上のフリッカする該当ＰＢ（選択ボタン）が選択されると、対応する系統図画面へ切替えられる。
【００９５】
一方、警報ポイントを含む画面であれば、表示処理手段２は、（処理ｅ）において、警報情報部７から警報ポイントを含む機器を検索し、該当機器の座標Ｈを取り出す。さらに、表示処理手段２は、（処理ｆ）おいて、該当機器のシンボルを表示装置３の系統画面上にてフリッカ表示する。
【００９６】
警報ポイントを含む系統画面を表示している際に、運転員によりフリッカ表示している警報ポイントを含む機器がタッチ選択された場合は、図１８の処理フローに従い処理を行う。
【００９７】
まず、対話入力処理手段５は、（処理ｈ）において、タッチ選択された座標Ｈを入力し、表示処理手段２に通知し、表示処理手段２は、（処理ｉ）おいて、通知された座標Ｈから、警報情報部７における機器番号Ｋを検索し、該当機器に属し、警報状態にあるポイントを取り出し、（処理ｊ）において、取り出したポイントを表示装置３上にポップアップウィンドウ表示する。
【００９８】
このように第５実施の形態によれば、警報発生時には、系統画面上の該当機器、あるいはプロセス値を色替えにて通知する。また、警報項目を含む系統画面選択パネル上の画面選択ＰＢを点灯させる。従って、警報窓が設置されていなくても、系統画面選択パネル上のＰＢにて警報発生が確認可能となり、ＰＢの選択により、警報項目を含む系統画面がワンタッチで表示可能となる。
【００９９】
図２３は本発明の第６実施の形態を示すプラント監視装置の構成例である。
【０１００】
第６実施の形態は、警報処理手段１と表示処理手段２と対話入力処理手段５と系統画面処理手段８とＣＲＴオペレーション処理手段３０と表示装置３と入力装置４と警報情報部７と系統ランク情報部６とから構成されている。
【０１０１】
警報処理手段１は、警報情報部７に登録されているポイントについて、プラントからのプロセス値を監視し、警報発生時には警報情報部７から該当ポイントに対応した系統、ランク、ポイント情報を検索し、警報メッセージ情報Ａとして表示処理手段２に通知し、該当ポイントが警報状態にあることを警報情報部７に設定する。表示処理手段２は、警報処理手段１から通知された警報メッセージ情報Ａを表示装置３上の警報画面に警報メッセージとして表示する。
【０１０２】
警報処理手段１は、他のポイントが警報状態になれば、順次、警報情報部７から該当ポイントの系統とランクを検索し、警報情報部７には該当ポイントが警報状態であることを設定し、表示処理手段２には警報メッセージ情報Ａを通知し、表示処理手段２は警報処理手段１からの警報メッセージ情報Ａを、通知された順に表示装置３上の警報画面に警報メッセージとして表示する。
【０１０３】
系統画面処理手段８は、プラントからのプロセス値を入力し、一定の走査周期更新を行い、系統画面情報として表示処理手段２に通知する。対話入力処理手段５は、運転員から入力装置４を介して、警報メッセージがタッチ選択された場合、入力装置４からの警報メッセージ選択情報Ｏを入力し、運転員の要求する警報メッセージ選択情報Ｏを警報処理手段１に通知する。警報処理手段１は、対話入力処理手段５から通知された警報メッセージ選択情報Ｏを警報情報部７から検索し、運転員から要求された警報ポイントに対応する画面番号と操作端Ｐを決定し、系統画面処理手段８に通知する。
【０１０４】
系統画面処理手段８は、警報処理手段１から通知された画面番号Ｐに対する系統画面情報Ｊを表示処理手段２に通知し、ＣＲＴオペレーション処理手段３０には、警報ポイントに対応した操作端Ｐを通知する。表示処理手段２は、警報処理手段１から通知された系統画面情報Ｊ表示装置３３上に系統画面として表示する。
【０１０５】
ＣＲＴオペレーション処理手段３０は、系統画面処理手段８に通知された操作端Ｐに対応した操作端ウィンドウ情報Ｑを表示処理手段２に通知する。表示処理手段２は、ＣＲＴオペレーション処理手段３０に通知された操作端ウィンドウ情報Ｑを表示装置３上の系統画面上に表示する。
【０１０６】
以上の構成により、警報発生から、警報メッセージに対応した操作端ウィンドウが表示されるまでの処理を具体的に説明する。
【０１０７】
まず、プラントからのプロセス値が警報状態となったとき、図２に示す処理がされ、警報処理手段１は、（処理ａ）において図２５に示す警報情報部７から該当ポイントの系統とランクを検索する。そして、（処理ｂ）において、該当ポイントが警報状態にあることを警報情報部７の警報指標Ｂとして設定する。さらに（処理ｄ）において、警報メッセージ情報Ａを表示処理手段２に通知する。表示処理手段２は、（処理ｅ）にて警報処理手段１から通知された警報メッセージ情報Ａを図４に示す画面にて表示装置３に表示する。
【０１０８】
図４に示す警報画面から、運転員により表示する系統とランクを画面上の系統ランクボタンの選択により指定された場合には、図３に示す処理フローにて処理する。
【０１０９】
まず、対話入力処理手段５は、（処理ｈ）にて運転員からの要求の系統ランク情報Ｃを図７に示す系統ランク情報部６に設定し、（処理ｉ）にて警報処理手段１に通知し、警報処理手段１は、（処理ｊ）にて、対話入力処理手段５から通知された系統ランク情報Ｃに属し、かつ、警報状態にあるポイントを警報情報部７から検索し（処理ｄ）にて運転員に要求された系統とランクの警報メッセージ情報Ａとして表示処理手段２に通知する。
【０１１０】
表示処理手段２は、（処理ｅ）にて警報処理手段１から通知された警報メッセージ情報Ａを表示装置３に図５に示す画面にて表示する。
【０１１１】
図５に示す画面にて警報メッセージを表示しているときに新たに警報が発生した場合には、図２の処理フローに従い処理を行う。
【０１１２】
警報処理手段１は、（処理ａ）において新たに警報状態になったポイントについて、警報情報部７から該当ポイントの系統とランクを検索し、（処理ｂ）にて警報情報部７の警報指標Ｂを設定する。さらに、（判断ｃ）にて検索したポイントの系統ランクと表示系統ランク情報部の系統ランク情報Ｃを比較し、同一であれば、（処理ｄ）にて該当ポイントの警報メッセージ情報Ａを表示処理手段２に通知する。表示処理手段２は、（処理ｅ）にて警報処理手段１より通知された警報メッセージ情報Ａを図５に示す画面に追加表示する。
【０１１３】
警報処理手段１が（判断ｃ）にて検索したポイントの系統ランクと表示系統ランク情報部の系統ランク情報Ｃが同一でない場合には、警報処理手段１は（処理ｆ）にて、表示処理手段２に新たに警報状態になったポイントの系統ランク、すなわち、表示選択されていない系統ランク情報Ｄを表示処理手段２に通知する。
【０１１４】
表示処理手段２は、（処理ｇ）にて図５に示す画面上で未選択の系統ランクボタンのうちの警報処理手段１に通知された系統とランクボタンをフリッカ表示する。この系統とランクのボタンのフリッカ表示により、運転員は警報画面に表示されていない系統とランクに属するポイントに警報が発生していることを認識する。フリッカ表示している系統とランクボタンを運転員が選択し、表示要求した場合には、前記と同様に図３の処理フローに従い、系統とランクの種分け要求があった場合として処理する。
【０１１５】
次に、運転員が警報画面上の警報メッセージをタッチ選択した場合には、図２４に示す処理がされ、（処理ｍ）において、対話入力処理手段５がタッチ選択された警報メッセージ選択情報Ｏを入力し、これを警報処理手段１に通知し、警報処理手段１が図２５に示す警報情報部７よりタッチ選択された警報メッセージ選択情報Ｏに対応する画面番号と操作端Ｐを検索する。警報処理手段１は、画面番号と操作端を検索後、（処理ｎ）において、系統画面処理手段８に画面番号と操作端Ｐを通知する。
【０１１６】
次に、（処理ｏ）においては、系統画面処理手段８は、警報処理手段１から通知された画面番号Ｐに対する系統画面情報Ｊを表示処理手段２に通知し、表示処理手段２は、系統画面処理手段８から通知された系統画面情報Ｊを表示装置３上に系統画面として表示する。そして、（処理ｐ）においては、系統画面処理手段８がＣＲＴオペレーション処理手段３０に、警報処理手段１から通知された操作端Ｐを通知し、ＣＲＴオペレーション処理手段３０が、表示処理手段２に該当する操作端ウィンドウ情報Ｑを通知する。
【０１１７】
操作端ウィンドウ情報Ｑを通知された表示処理手段２では、表示装置３にＣＲＴオペレーション処理手段３０より通知された操作端ウィンドウを表示する。これにより、運転員は、警報メッセージを選択すると、操作端ウィンドウが表示されるので、警報に対する対策処置としての操作を行うことが可能となる。
【０１１８】
このように第６実施の形態によれば、警報メッセージを選択することで、該当系統図画面と操作ウィンドウを表示する。運転員は、警報メッセージから画面の表示を切り替えることなく、系統画面と操作ウィンドウを表示することが可能となる。
【図面の簡単な説明】
【０１１９】
【図１】本発明の第１実施の形態を示すプラント監視装置の構成図である。
【図２】図１のプラント監視装置の処理手順を示す第１フローチャートである。
【図３】図１のプラント監視装置の処理手順を示す第２フローチャートである。
【図４】図１のプラント監視装置の表示装置に表示される第１画面例である。
【図５】図１のプラント監視装置の表示装置に表示される第２画面例である。
【図６】図１のプラント監視装置に備える警報情報部の構成図である。
【図７】図１のプラント監視装置に備える系統ランク情報部の構成図である。
【図８】本発明の第２実施の形態を示すプラント監視装置の構成図である。
【図９】図８のプラント監視装置の処理手順を示すフローチャートである。
【図１０】図８のプラント監視装置に備える画面構成情報部の第１構成例である。
【図１１】図８のプラント監視装置に備える画面構成情報部の第２構成例である。
【図１２】本発明の第３実施の形態を示すプラント監視装置の構成図である。
【図１３】図１２のプラント監視装置の処理手順を示す第１フローチャートである。
【図１４】図１２のプラント監視装置の処理手順を示す第２フローチャートである。
【図１５】図１２のプラント監視装置に備える警報情報部の構成例である。
【図１６】本発明の第４実施の形態を示すプラント監視装置の構成図である。
【図１７】図１６のプラント監視装置の処理手順を示す第１フローチャートである。
【図１８】図１６のプラント監視装置の処理手順を示す第２フローチャートである。
【図１９】図１６のプラント監視装置に備える警報情報部の構成例である。
【図２０】本発明の第５実施の形態を示すプラント監視装置の構成図である。
【図２１】図２０のプラント監視装置の処理手順を示すフローチャートである。
【図２２】図２０のプラント監視装置に備える警報情報部の構成例である。
【図２３】本発明の第６実施の形態を示すプラント監視装置の構成図である。
【図２４】図２３のプラント監視装置の処理手順を示すフローチャートである。
【図２５】図２３のプラント監視装置に備える警報情報部の構成例である。
【図２６】従来のプラント監視装置を示す構成図である。
【符号の説明】
【０１２０】
１…警報処理手段
２…表示処理手段
３…表示装置
４…入力装置
５…対話入力処理手段
６…系統ランク情報部
６Ａ…表示アイコン情報部
７…警報情報部
７Ａ…警報アイコン情報部
８…系統画面処理手段
１５…画面構成情報部
２０…画面選択パネル
３０…ＣＲＴオペレーション処理手段
【図１】
2006294063.tif 000003
【図２】
2006294063.tif 000004
【図３】
2006294063.tif 000005
【図４】
2006294063.tif 000006
【図５】
2006294063.tif 000007
【図６】
2006294063.tif 000008
【図７】
2006294063.tif 000009
【図８】
2006294063.tif 000010
【図９】
2006294063.tif 000011
【図１０】
2006294063.tif 000012
【図１１】
2006294063.tif 000013
【図１２】
2006294063.tif 000014
【図１３】
2006294063.tif 000015
【図１４】
2006294063.tif 000016
【図１５】
2006294063.tif 000017
【図１６】
2006294063.tif 000018
【図１７】
2006294063.tif 000019
【図１８】
2006294063.tif 000020
【図１９】
2006294063.tif 000021
【図２０】
2006294063.tif 000022
【図２１】
2006294063.tif 000023
【図２２】
2006294063.tif 000024
【図２３】
2006294063.tif 000025
【図２４】
2006294063.tif 000026
【図２５】
2006294063.tif 000027
【図２６】
2006294063.tif 000028